(57)【要約】本発明は、眼鏡（１２）を備えた聴覚保護具（１０）に関し、ここで、聴覚保護具（１０）は、少なくとも１つの耳保護具（１４，１６）およびヘッドバンド（１８）を含み、眼鏡（１２）は、眼鏡（１２）を聴覚保護具（１０）に固定するためのテンプル（２０、２２）を含む。また、テンプル（２０、２２）をヘッドバンド（１８）に固定することにより、眼鏡（１２）が聴覚保護具（１０）に固定されるようになっている。【選択図】図７
2021517778.tif 000002
【特許請求の範囲】
【請求項１】
眼鏡を備えた聴覚保護具であって、
前記聴覚保護具は、少なくとも１つの耳保護具および１つのヘッドバンドを有し、
前記眼鏡は、前記聴覚保護具に前記眼鏡を固定するための２つのテンプルを有し、
前記聴覚保護具への前記眼鏡の固定は、前記テンプルを前記ヘッドバンドに固定することによって行われることを特徴とする、聴覚保護具。
【請求項２】
前記ヘッドバンドが少なくとも１つの枢動軸を有し、前記枢動軸に少なくとも１つの耳保護具が枢動可能に取り付けられ、前記テンプルが前記少なくとも１つの枢動軸に取り付けられていることを特徴とする、請求項１に記載の聴覚保護具。
【請求項３】
前記少なくとも１つの枢動軸がその端部に受容部を有し、前記テンプルが前記受容部に嵌合する嵌合部材によって、前記少なくとも１つの枢動軸に取り付けられていることを特徴とする、請求項２に記載の聴覚保護具。
【請求項４】
前記嵌合部材が突部であることを特徴とする、請求項３に記載の聴覚保護具。
【請求項５】
前記テンプルの少なくとも１つが少なくとも２つの部分に分かれていることにより、ヘッドバンド部がテンプル前部に多関節的に連結されていることを特徴とする、請求項１〜４のいずれか１項に記載の聴覚保護具。
【請求項６】
前記テンプルの少なくとも１つが少なくとも３つの部分からなり、前記ヘッドバンド部が中間部に連結し、前記テンプル前部が前記中間部に変位可能に支持されていることを特徴とする、請求項１〜５のいずれか１項に記載の聴覚保護具。
【請求項７】
テンプル前部が、中間部に少なくとも２つの係止位置を取ることができることを特徴とする、請求項２に記載の聴覚保護具。
【請求項８】
前記少なくとも１つの耳保護具が、フォーク状に分岐したサポートブラケットによって少なくとも１つの枢動軸に取り付けられていることを特徴とする、請求項１〜７のいずれか１項に記載の聴覚保護具。
【請求項９】
前記耳保護具が２つの突部を介して前記サポートブラケットに取り付けられていることを特徴とする、請求項８に記載の聴覚保護具。
【請求項１０】
請求項１〜９のいずれか１項に記載の聴覚保護具と共に使用するための眼鏡。
【請求項１１】
請求項１〜９のいずれか１項に記載の聴覚保護具と共に使用するためのヘッドバンド。
【発明の詳細な説明】
【技術分野】
【０００１】
本発明は、眼鏡を備えた聴覚保護具に関し、少なくとも１つの耳保護具およびヘッドバンドを備える聴覚保護具、ならびに眼鏡を聴覚保護具に固定するための２つのテンプルを有する眼鏡に関する。
【背景技術】
【０００２】
このような聴覚保護具は、特に人の聴覚や目や顔を保護する環境下で使用される。このようにして、例えば、林業従事者、建設現場、その他の聴覚や目に危険を及ぼす可能性のある職業において、安全性が向上することが保証されている。同様に、色付きのメガネが防眩具として使用されている。
【０００３】
ここでは、「聴覚保護具」という用語を使用しているが、これは広く一般的な意味で理解されるべきである。また、通信を目的とした装置や、音楽を聴くためだけでなく、他の通信を知覚するための装置のことも指す。また、イヤフォンとヘッドバンドを備えた従来のヘッドフォンも、本開示では、「聴覚保護具」を意味する。「聴覚保護具」と「ヘッドフォン」の一般的な組み合わせは、現代の聴覚保護装置が通信手段を備えていることが多いという点で明らかになっている。言い換えれば、聴覚保護具は、しばしば拡声器と、場合によってはマイクインターフェースとを含み、これにより、関係者同士の通信が可能となる。
【０００４】
一般的な聴覚保護具は、米国特許第４，８０２，２４３号明細書で知られている。聴覚保護具のヘッドバンドには、サポートブラケットが取り付けられている。これは聴覚保護をサポートしている。また、眼鏡もサポートブラケットに枢動可能に取り付けられており、比較的複雑な構造になっている。
【０００５】
本発明は、可能な限り簡単な設計の提供により、聴覚保護具をさらに発展させることを目的とする。さらに、聴覚保護具を可変的に備えられることが達成されるべきである。この目的は、独立請求項の特徴によって解決される。本発明の有利な実施形態は、従属請求項に示されている。
【発明の概要】
【課題を解決するための手段】
【０００６】
本発明は、テンプルをヘッドバンドに装着して眼鏡を装着する点において、一般的な聴覚保護具をベースとしている。眼鏡を聴覚保護具のヘッドバンドに取り付けることは、特に簡単な構造的解決策の基礎となる。眼鏡の聴覚保護具への取り付け箇所は、ヘッドバンドに接続可能な耳保護具から十分に離れていることが好ましく、これによって眼鏡と耳保護具が独立して動くことができ、特に、その動きにおいて互いに干渉しなくなる。聴覚保護具に眼鏡を取り付けるオプションを提供する耳保護具用のサポートブラケットである必要はない。むしろ、聴覚保護具には様々なサポートブラケットを設けることができる。なぜなら、眼鏡と聴覚保護具との間のインターフェースは、聴覚保護具の構造的基本要素、すなわちヘッドバンドに割り当てられるからである。したがって、最終的に本発明の基本的思想を具現化するのは、ヘッドバンドおよび眼鏡の構造設計である。これを出発点として、聴覚保護具は、高い構造的変動性を有する。上述した異なるタイプの聴覚保護具、すなわち、通信手段なしの、もしくは通信手段を含む、または単なるヘッドフォンとしてのものにも加えて、様々な眼鏡が使用される場合があることに留意すべきである。眼鏡は、例えば、もっぱら機械的な保護機能を有していてもよく、後方の良好な換気を可能にするために開放された端部を有していてもよい。また、例えば、化学物質などの有害な物質が端から侵入するのを防ぐために端部が閉じられてもよい。眼鏡は防眩のために提供されてもよい。眼鏡はまた、視覚的な補助具であってもよく、すなわち、いわゆる光学レンズを備えていてもよい。また、メガネはバイザーと呼ばれるようなデザインにすることも可能である。これは、フルバイザーであってもよいし、ハーフバイザーであってもよい。一対の眼鏡の上述したすべての特徴は、部分的にまたは全てを組み合わせることができる。
【０００７】
ヘッドバンドが、少なくとも１つの耳保護具が枢動する少なくとも１つの枢動軸を有し、テンプルが少なくとも１つの枢動軸に取り付けられていることが有用である。耳保護具のために提供される枢動軸は、聴覚保護具を快適に装着することを保証するのに役立ち、それは聴覚保護具を着用者の耳に可変的に、したがって安全な装着を提供する。この実施形態によれば、枢動軸は二重の機能を果たす。それは、耳保護具を固定するためだけでなく、眼鏡を固定するためにも意図されている。このようにして、特にシンプルで合理的な設計が提供される。
【０００８】
さらに、少なくとも１つの枢動軸がその端部に受容部を有し、テンプルが、受容部に嵌合する嵌合部材によって少なくとも１つの枢動軸に取り付けられている形態が特に有利である。眼鏡に設けられた嵌合部材は、枢動軸の受け部に嵌合するため、このようにしてヘッドバンド上での眼鏡の確実な支持が保証される。嵌合部材は、テンプルのブラケット状の端部に配置され、ブラケット状の端部は、ヘッドバンドを確実におよび／または摩擦的に把持する。ここで、嵌合部材が突部であると有利である。
【０００９】
本発明は、少なくとも１つのテンプルが、少なくとも２つの部分からなり、ヘッドバンド部がテンプル前部に係合している点で、特に有用な方法でさらに発展する。テンプルが複数に分かれているため、眼鏡はヘッドバンドに固定されたままとなる。同時に、眼鏡は、例えば、着用者の視野の外、例えば上向きに枢動するように移動可能である。これに関連して、テンプルの相互に連結された部分の寸法は、眼鏡が自重によって再び落下することなく上方の位置に留まることができるように選択されている。また、テンプルの多関節設計により、顔の形が異なる場合でも安定して安全に眼鏡をかけることができるため、眼鏡のフィット感が向上する。
【００１０】
少なくとも１つのテンプルが少なくとも３つの部分から構成されており、ヘッドバンド部分が中間部にヒンジ結合され、テンプル前部が中間部にスライド可能に取り付けられるようになっていることが特に有用である。つまり、眼鏡はヘッドバンドに枢動可能に取り付けられるだけでなく、テンプルの長さを調整することも可能である。このようにして、例えば、作業条件の異なる様々な設定の中から選択するように、眼鏡のフィット感を変化させることができる。さらに、このようにして、聴覚保護具をどのような着用者にも確実にフィットさせることができる。また、関節は、テンプル前部と中間部との間であってもよく、一方スライド部分は、ヘッドバンド部と中間部との間に位置する。
【００１１】
これに関連して、ブラケットの前部が中間部の少なくとも２つの係止位置を想定できることが有利である。係止された位置にあるため、テンプルの長さが意図せず変化することがない。
【００１２】
さらに、本発明による聴覚保護具は、少なくとも１つの耳保護具が、フォーク状に分岐したサポートブラケットを介して少なくとも１つの枢動軸に取り付けられるように設計されてもよい。上述の分岐したサポートブラケットは、前記眼鏡が固定される枢動軸を介して前記ヘッドバンドに枢動可能に連結されている。実際の耳保護具は、支持ブラケットに容易に取り付けることができる。
【００１３】
これに関連して、耳保護具が２本のピンを介してサポートブラケットに取り付けられていると特に有用である。サポートブラケットにピンを介して耳保護具を配置することで、サポートブラケット内で耳保護具を旋回させることができる。
【００１４】
本発明は、さらに、本発明に従った聴覚保護具と共に使用するための眼鏡に関する。
【００１５】
本発明はさらに、本発明による聴覚保護具と共に使用するためのヘッドバンドに関する。
【００１６】
ここで、本発明を特に好ましい設計に基づいて、添付の図面を参照して例示的に説明する。
【図面の簡単な説明】
【００１７】
【図１】本発明による聴覚保護具の正面図を示す。
【図２】本発明による聴覚保護具の斜視側面図を示す。
【図３】眼鏡が片側でヘッドバンドから取り外されている、本発明による聴覚保護具の斜視側面図を示す。
【図４】テンプルをヘッドバンドに取り付けることができる留め具の配置の詳細を示す。
【図５】テンプルを取り付けることができる留め具の配置の詳細を示す。
【図６】本発明の聴覚保護具の詳細を示す図であり、３分割構造のテンプルを識別可能にしている。
【図７】聴覚保護具を装着した状態を示す図である。
【発明を実施するための形態】
【００１８】
以下の図面の説明では、同じ参照番号は、同一または同等の構成要素を示す。
【００１９】
図１は、本発明による聴覚保護具１０の正面図である。聴覚保護具１０は、ヘッドバンド１８を含む。ヘッドバンド１８には、ヒンジによりサポートブラケット３８が設けられている。多関節性を提供する枢動軸２４は、実質的に図１の観察者の視野方向に延びている。サポートブラケット３８には、耳保護具１４，１６が係合して取り付けられている。関節は、突部４０と、耳保護具１４，１６上の対応する受容部によって提供される。突部も受容部も、サポートブラケット３８または耳保護具１４，１６によって覆われているため、図からは認識することができない。
【００２０】
第１の耳保護具１４は、通信手段を備えた耳保護具であって、スピーカーが内蔵されており、マイク４２が接続されている。通信手段は、例えばブルートゥース（登録商標）インターフェースなどの無線通信インターフェースを介して動作してもよい。第２の耳保護具１６は、受動的な耳保護具、すなわち、耳を保護する役割を果たすのみであり、通信手段を含まない。また、第１の耳保護具１４と同様に、第２の耳保護具１６にも通信手段を設けることが可能である。別の変形例では、一方の耳保護具、例えば第１の耳保護具１４は、上述のような通信手段を備え、他方の耳保護具、例えば、第２の耳保護具１６は、デジタルラジオ機能によって音楽を聴くことが可能となっていてもよい。これは、必ずしも耳保護具１６に内蔵されている必要はないが、携帯電話、特にスマートフォンのデジタル無線機能を利用するために設けられていてもよく、受信用の装置、場合によっては送信用の装置、および音を再生するための装置が耳保護具１６に設けられていれば十分である。ヘッドバンド１８には、さらに、眼鏡１２が取り付けられている。この眼鏡１２は、他の構成要素とは別に、透明なガラス４４と、それに取り付けられたテンプル２０，２２とを含む。テンプル２０，２２の端部には、ブラケット状のリテーナ４６，４８が設けられている。これらのリテーナ４６，４８は、ヘッドバンド１８を部分的に把持する。
【００２１】
図２は、本発明に従った聴覚保護具１０の透視側面図である。ここでは、テンプル２０，２２の複数ピースのデザインを見ることができる。各テンプル２０，２２はヘッドバンド部３２を含み、テンプル２０，２２をヘッドバンド１８に連結するリテーナ４６，４８は、各ヘッドバンド部３２の端部に設けられている。各ヘッドバンド部３２は、それぞれ１つの係合軸５０を介して中間部３６に連結されている。これらの係合軸５０により、眼鏡１２を上方、すなわちヘッドバンド１８に向かう方向に枢動させることが可能になる。中間部３６は、テンプル前部３４をスライド可能に収容する。中間位置は図示されている。テンプル前部３４は、中間部３６からさらに引き出されてもよいし、中間部３６内にさらに押し込まれてもよい。このようにして、テンプル２０，２２の全体としての長さが変更される。図２はまた、サポートブラケット３８がヘッドバンド１８に連結する枢動軸２４が、テンプル２０，２２のリテーナ４６，４８に対して相対的にどこに位置するかをある程度詳細に示している。具体的には、枢動軸２４は、リテーナ４６，４８のブラケット状の延長部を連結している。耳保護具１４の外側には、通信を制御するための制御部５２が設けられている。
【００２２】
図３は、本発明に従った聴覚保護具１０の透視側面図であり、眼鏡１２は、片側がヘッドバンド１８から取り外されている。リテーナ４８がアタッチメントから取り外されたので、サポートブラケット３８がヘッドバンド１８に連結されていることを介して、枢動軸２４をより明確に見ることができる。このような枢動軸２４は、サポートブラケット３８と同様にヘッドバンド１８の一端をそれぞれ貫通するピン５４を含む。各ピン５４の端部には、受容部２６（図５参照）が設けられている。リテーナ４６，４８がこの領域でヘッドバンド１８を把持すると、突部２８，３０（図４参照）が受容部２４によって取り込まれて、リテーナ４６，４８がヘッドバンド１８に確実に保持されるようになる。
【００２３】
図４は、テンプル２０，２２をヘッドバンド１８に取り付けることができる留め具の配置の詳細を示す図である。テンプル２０のブラケット状の端部として形成されたリテーナ４６は、観察者の観察方向後方側に配置された中央部と、観察者の観察方向に対向する２つの端部とから構成されている。端部には、図４の紙面内に実質的に延びる突部２８，３０が配置されている。これらの突部２８，３０は、受容部２６（図５参照）に保持されている。
【００２４】
図５は、テンプル２０，２２を取り付けることが可能な締結配置の詳細を示す図である。ここで、枢動軸２４として機能するピン５４は、その端部に見ることができ、２つの同心円で図示されている。内側の円は、突部２８，３０（図４参照）のうちのいずれか一方の突部用受容部２６の外周を示す。
【００２５】
図６は、聴覚保護具１０の詳細を示す図であり、３分割構造のテンプル２０，２２を視認することができる。この点において、リテーナ４８を有するヘッドバンド部３２と、中間部３６と、テンプル前部３４とを含む。中間部３６は、中間部３６におけるテンプル前部３４の係止位置を示す３つのマークを有する。
【００２６】
図７は、聴覚保護具１０を装着した状態を示す図である。
【００２７】
上記の説明、図面および特許請求の範囲に開示された本発明の特徴は、個別にまたは任意の組み合わせで本発明を実現するために必須のものであってもよい。
【符号の説明】
【００２８】
１０      ：聴覚保護具
１２      ：眼鏡
１４，１６      ：耳保護具
１８      ：ヘッドバンド
２０，２２      ：テンプル
２４      ：枢動軸
２６      ：受容部
２８，３０，４０      ：突部
３２      ：ヘッドバンド部
３４      ：テンプル前部
３６      ：中間部
３８      ：サポートブラケット
４２      ：マイク
４４      ：ガラス
４６，４８      ：リテーナ
５０      ：係合軸
５２      ：制御部
５４      ：ピン
【図１】
2021517778.tif 000003
【図２】
2021517778.tif 000004
【図３】
2021517778.tif 000005
【図４】
2021517778.tif 000006
【図５】
2021517778.tif 000007
【図６】
2021517778.tif 000008
【図７】
2021517778.tif 000009
【国際調査報告】
2021517778.tif 000010
2021517778.tif 000011
2021517778.tif 000012
2021517778.tif 000013
2021517778.tif 000014